(57)【要約】【課題】容器を用いた回収を行う際に、容器の識別、および、容器内に収納されている貨幣の金額情報等の把握の少なくとも一方を行うこと。【解決手段】有価媒体を処理する有価媒体処理装置であって、処理された前記有価媒体を所定の容器に収納する収納部と、前記所定の容器および前記所定の容器に収納された前記有価媒体の少なくとも一方に関する情報を二箇所に印刷して、前記情報が印刷された第一の印刷物および第二の印刷物を生成する印刷部と、を備える、有価媒体処理装置。【選択図】図３
2020064393.tif 000002
【特許請求の範囲】
【請求項１】
有価媒体を処理する有価媒体処理装置であって、
処理された前記有価媒体を所定の容器に収納する収納部と、
前記所定の容器および前記所定の容器に収納された前記有価媒体の少なくとも一方に関する情報を二箇所に印刷して、前記情報が印刷された第一の印刷物および第二の印刷物を生成する印刷部と、を備える、
有価媒体処理装置。
【請求項２】
前記第一の印刷物には、前記情報を含む第一の情報が印刷され、前記第二の印刷物には、前記情報を含み、かつ、前記第一の情報とは異なる第二の情報が印刷される、
請求項１に記載の有価媒体処理装置。
【請求項３】
前記印刷部は、前記第一の印刷物および前記第二の印刷物を一体的に生成する、
請求項１または２に記載の有価媒体処理装置。
【請求項４】
前記所定の容器に収納された前記有価媒体の量を検知する検知部をさらに備え、
前記印刷部は、前記検知部によって、前記所定の容器に所定量の前記有価媒体が収納されたと検知されたことを条件として、前記第一の印刷物および前記第二の印刷物を生成する、
請求項１〜３のいずれか一項に記載の有価媒体処理装置。
【請求項５】
所定の操作を受け付ける操作部をさらに備え、
前記印刷部は、前記操作部に対して前記所定の操作が行われたことを条件として、前記第一の印刷物および前記第二の印刷物を生成する、
請求項１〜４のいずれか一項に記載の有価媒体処理装置。
【請求項６】
前記所定の操作は、前記有価媒体を前記所定の容器に収納する所定の処理を前記収納部に行わせる操作であり、
前記印刷部は、前記所定の処理毎に前記第一の印刷物および前記第二の印刷物を生成する、
請求項５に記載の有価媒体処理装置。
【請求項７】
前記情報を外部へ出力する出力部をさらに備える、
請求項１〜６のいずれか一項に記載の有価媒体処理装置。
【請求項８】
前記第一の印刷物には、前記所定の容器のための印刷物であることを示す情報が含まれる、
請求項１〜７のいずれか一項に記載の有価媒体処理装置。
【請求項９】
前記第一の印刷物は、シールである、
請求項８に記載の有価媒体処理装置。
【請求項１０】
有価媒体を処理して所定の容器に収納する有価媒体処理装置と、
前記所定の容器および前記所定の容器に収納された前記有価媒体の少なくとも一方に関する情報を二箇所に印刷して、前記情報が印刷された第一の印刷物および第二の印刷物を生成する印刷装置と、を備える、
有価媒体処理システム。
【請求項１１】
前記第一の印刷物と前記第二の印刷物とを照合する照合部をさらに備える、
請求項１０に記載の有価媒体処理システム。
【請求項１２】
有価媒体を処理する有価媒体処理装置における有価媒体処理方法であって、
処理された前記有価媒体を所定の容器に収納するステップと、
前記所定の容器および前記所定の容器に収納された前記有価媒体の少なくとも一方に関する情報を二箇所に印刷して、前記情報が印刷された第一の印刷物および第二の印刷物を生成するステップと、を備える、
有価媒体処理方法。
【発明の詳細な説明】
【技術分野】
【０００１】
本発明は、有価媒体を処理する有価媒体処理装置、有価媒体処理システム、および有価媒体処理方法に関する。
【背景技術】
【０００２】
従来、金融機関または流通店舗の後方等に設置され、取引指示に基づいて、貨幣の入金、所定金額または所定金種の貨幣の出金等を行う、貨幣入出金装置等の貨幣処理装置が知られている（例えば、特許文献１を参照）。
【０００３】
また、このような貨幣処理装置は、レシートプリンタも有していることがある。特許文献１では、貨幣処理装置は、釣銭準備金を装置外部に出金したときに、レシートプリンタを駆動して、出金した釣銭準備金の金額が印字されたレシートを発行する。また、貨幣処理装置は、売上金が回収されたときに、レシートプリンタを駆動して、回収された売上金の金額が印字されたレシートを発行する。また、貨幣処理装置は、釣銭準備金が入金されたことを検知したときに、レシートプリンタを駆動して、入金された釣銭準備金の金額が印字されたレシートを発行する。
【先行技術文献】
【特許文献】
【０００４】
【特許文献１】特開２０１５−１２５６５１号公報
【発明の概要】
【発明が解決しようとする課題】
【０００５】
近年、貨幣処理装置内の貨幣を回収する際に、人の手で直接回収するのではなく、カセット、麻袋等の容器を用いて回収する方式が増えている。容器を用いた回収では、容器を識別することができない、または、容器に収納された貨幣の金額情報等を把握することができないという問題があった。
【０００６】
そこで本発明は、容器を用いた回収を行う際に、容器の識別、および、容器内に収納された貨幣の金額情報等の把握の少なくとも一方を行うこと、を目的とする。
【課題を解決するための手段】
【０００７】
本発明の有価媒体処理装置は、有価媒体を処理する有価媒体処理装置であって、処理された前記有価媒体を所定の容器に収納する収納部と、前記所定の容器および前記所定の容器に収納された前記有価媒体の少なくとも一方に関する情報を二箇所に印刷して、前記情報が印刷された第一の印刷物および第二の印刷物を生成する印刷部と、を備える、有価媒体処理装置である。
【０００８】
本発明の有価媒体処理システムは、有価媒体を処理して所定の容器に収納する有価媒体処理装置と、前記所定の容器および前記所定の容器に収納された前記有価媒体の少なくとも一方に関する情報を二箇所に印刷して、前記情報が印刷された第一の印刷物および第二の印刷物を生成する印刷装置と、を備える、有価媒体処理システムである。
【０００９】
本発明の有価媒体処理方法は、有価媒体を処理する有価媒体処理装置における有価媒体処理方法であって、処理された前記有価媒体を所定の容器に収納するステップと、前記所定の容器および前記所定の容器に収納された前記有価媒体の少なくとも一方に関する情報を二箇所に印刷して、前記情報が印刷された第一の印刷物および第二の印刷物を生成するステップと、を備える、有価媒体処理方法である。
【発明の効果】
【００１０】
本発明によれば、容器を用いた回収を行う際に、容器の識別、および、容器内に収納された貨幣の金額情報等の把握の少なくとも一方を行うことができる。
【図面の簡単な説明】
【００１１】
【図１】図１は、硬貨処理装置の構成を示す模式図である。
【図２】図２は、硬貨処理装置の内部構成を示す模式図である。
【図３】図３は、硬貨処理装置の制御系の構成を示すブロック図である。
【図４Ａ】図４Ａは、印刷物を示す図である。
【図４Ｂ】図４Ｂは、印刷物を示す図である。
【図４Ｃ】図４Ｃは、印刷物を示す図である。
【図４Ｄ】図４Ｄは、印刷物を示す図である。
【図４Ｅ】図４Ｅは、印刷物を示す図である。
【図５Ａ】図５Ａは、制御部において行われる処理を示すフローチャートの一例である。
【図５Ｂ】図５Ｂは、制御部において行われる処理を示すフローチャートの一例である。
【図６】図６は、硬貨処理システムの構成を示す模式図である。
【発明を実施するための形態】
【００１２】
以下、本発明の実施形態に係る有価媒体処理装置について、図面を参照して詳細に説明する。なお、以下に説明する実施形態は一例であり、本発明はこの実施形態により限定されるものではない。また、実施形態の各構成は、それらの趣旨を逸脱しない範囲で種々変形して実施することができる。さらに、実施形態の各構成は、必要に応じて取捨選択することができ、あるいは適宜組み合わせることができる。
【００１３】
（第１実施形態）
以下、図１〜図５Ｂを参照して、第１実施形態について説明する。図１には、便宜上、Ｘ軸、Ｙ軸およびＺ軸が描かれている。Ｘ軸の正方向を＋Ｘ方向または右方向、Ｘ軸の負方向を−Ｘ方向または左方向、Ｙ軸の正方向を＋Ｙ方向または後方向、Ｙ軸の負方向を−Ｙ方向または前方向、Ｚ軸の正方向を＋Ｚ方向または上方向、Ｚ軸の負方向を−Ｚ方向または下方向とそれぞれ定義する。なお、各図面において、説明と直接関係のない構成は省略される場合がある。
【００１４】
（硬貨処理装置の構成）
図１を参照して、硬貨処理装置（「有価媒体処理装置」の一例）１の構成について説明する。図１は、硬貨処理装置１の構成を示す模式図である。
【００１５】
硬貨処理装置１は、例えば、売上金等の入金処理を行うために、各種の店舗に設置される装置である。店舗は、様々な小売り店舗の他、例えば各所に設置している自動販売機の管理を行う店舗とすることができる。具体的には、担当者が各所の自動販売機から回収した売上金が、店舗に集められ、硬貨が硬貨処理装置１に入金される。
【００１６】
硬貨処理装置１は、直方体形状の筐体１００を有している。筐体１００の上部には、操作部１１０、表示部１２０、認証部１３０、プリンタ部１４０、および投入部１５０が設けられている。
【００１７】
操作部１１０は、硬貨処理装置１の操作者によって所定の操作が行われるように構成されている。所定の操作については後述する。操作部１１０は、テンキー等の操作キーを有して構成されている。なお、操作部１１０の構成は操作キーを有するものに限定されない。操作部１１０は、例えば、表示部１２０と一体化されたタッチパネル式の操作部として構成されてもよい。表示部と一体化された操作部を、「操作表示部」という場合がある。
【００１８】
表示部１２０は、各種の事項を表示する。表示部１２０は、例えば液晶表示装置等のフラットパネルディスプレイによって構成されてもよい。
【００１９】
認証部１３０は、硬貨処理装置１の操作者を特定するために設けられている。認証部１３０は、例えばＩＤカードに磁気記録されている操作者の情報を読み取るカードリーダによって構成されている。なお、認証部１３０は、ＩＣチップに記録されている情報を読み取るカードリーダによって構成されてもよい。また、認証部１３０は、生体認証により操作者を特定するように構成されてもよい。
【００２０】
プリンタ部１４０は、レシートを発行する。プリンタ部１４０は、例えば熱転写式のプリンタ、インクジェット式のプリンタによって構成されてもよい。
【００２１】
投入部１５０は、担当者によって硬貨処理装置１に入金される硬貨が投入されるように構成されている。投入部１５０には、投入された硬貨を処理部１６０（図２を参照）へと導くホッパが設けられている。
【００２２】
図２を参照して、硬貨処理装置１の内部構成について詳細に説明する。図２は、硬貨処理装置１の内部構成を示す模式図である。
【００２３】
投入部１５０に投入された硬貨は、処理部１６０に搬送され、処理部１６０において、リジェクト部１７０に収納する硬貨、返却部１８０に収納する硬貨、第１カセット１９０ｂに収納する硬貨、第２カセット１９０ｃに収納する硬貨、第３カセット１９０ｄに収納する硬貨、第４カセット１９０ｅに収納する硬貨、第５カセット１９０ｆに収納する硬貨、および第６カセット１９０ｇに収納する硬貨に選別される。
【００２４】
処理部１６０は、操出部１６１と、搬送路１６２と、識別部１６３とを有する。操出部１６１は、投入部１５０に投入された硬貨を、搬送路１６２に向けて繰り出す。繰り出された硬貨は、搬送路１６２に沿って搬送され、搬送路１６２に配設された識別部１６３で金種、真偽等が識別される。識別部１６３は、磁気センサおよびイメージセンサを有している。
【００２５】
識別部１６３よりも搬送方向の下流側に、第１選別部１６５ａ〜第６選別部１６５ｆが設けられている。第１選別部１６５ａ〜第６選別部１６５ｆは、搬送路１６２に沿って搬送される硬貨を、識別部１６３での識別結果に基づいて、選択的に、リジェクト部１７０および第１カセット１９０ｂ〜第５カセット１９０ｆのいずれかに落下させる。第６カセット１９０ｇには、リジェクト部１７０および第１カセット１９０ｂ〜第５カセット１９０ｆのいずれにも落下しなかった硬貨が落下する。
【００２６】
第１カセット１９０ｂ〜第６カセット１９０ｇに収納される硬貨は、それぞれ、第１保管部２１０ｂ〜第６保管部２１０ｇに一時的に保管される。処理部１６０は、第１カセット１９０ｂ〜第６カセット１９０ｇにそれぞれ対応した第１センサ１６６ｂ〜第６センサ１６６ｇを有する。第１センサ１６６ｂ〜第６センサ１６６ｇは、第１カセット１９０ｂ〜第６カセット１９０ｇに収納される硬貨を検知する。
【００２７】
硬貨処理装置１は、第１カセット１９０ｂ〜第６カセット１９０ｇにそれぞれ対応する第１収納部２００ｂ〜第６収納部２００ｇを有する。第１収納部２００ｂ〜第６収納部２００ｇは、第１カセット１９０ｂ〜第６カセット１９０ｇに対して硬貨を排出する排出口として構成されてもよい。
【００２８】
図１の説明に戻る。筐体１００の前面には、リジェクト部１７０、返却部１８０、およびカセット部１９０が設けられている。カセット部１９０は、第１カセット１９０ｂ、第２カセット１９０ｃ、第３カセット１９０ｄ、第４カセット１９０ｅ、第５カセット１９０ｆおよび第６カセット１９０ｇを含む。
【００２９】
リジェクト部１７０は、識別部１６３においてリジェクト対象と識別された硬貨を収納する。リジェクト部１７０は、筐体１００の前面における左寄りの上部に設けられている。リジェクト部１７０は、筐体１００の前面に開口している。操作者は、リジェクト部１７０に収納されている硬貨を手で取り出すことができる。
【００３０】
返却部１８０は、識別部１６３において第１カセット１９０ｂ〜第６カセット１９０ｇのいずれかへの収納対象と識別された硬貨のうち、所定の返却条件を満たす硬貨を収納する。返却部１８０は、筐体１００の前面における左寄りの下部に設けられている。返却部１８０は、筐体１００の前方に向かって引き出し可能に構成されている。操作者は、返却部１８０を引き出すことによって、返却された硬貨を取り出すことができる。
【００３１】
第１カセット１９０ｂ〜第６カセット１９０ｇは、それぞれ、識別部１６３においてそれぞれ第１カセット１９０ｂ〜第６カセット１９０ｇへの収納対象と識別された硬貨を収納する。第１カセット１９０ｂ〜第６カセット１９０ｇは、それぞれ個別に筐体１００から取り外し可能である。なお、第１カセット１９０ｂ〜第６カセット１９０ｇの取り外し作業は、所定の権利を有する管理者のみが可能な作業である。
【００３２】
管理者は、例えば、認証部１３０で認証を行うことにより、カセット部１９０のロック機構を解除し、カセット部１９０を筐体１００から取り外すことができる。また、管理者は、操作部１１０で所定の解除操作を行うことにより、カセット部１９０のロック機構を解除し、カセット部１９０を筐体１００から取り外すことができる。
【００３３】
図３を参照して、硬貨処理装置１の制御系について詳細に説明する。図３は、硬貨処理装置１の制御系の構成を示すブロック図である。硬貨処理装置１は、制御部３００を有する。制御部３００は、投入された硬貨に関する制御、印刷に関する制御等の各種制御を行う。制御部３００は、ハードウェアとして、ＣＰＵ（Central Processing Unit）、ＲＯＭ（Read Only Memory）、ＲＡＭ（Random Access Memory）等を有する。以下において説明する制御部３００の各機能は、ＣＰＵがＲＯＭから読み出したコンピュータプログラムをＲＡＭ上で実行することにより実現される。
【００３４】
図３に示すように、制御部３００は、操作部１１０、表示部１２０、認証部１３０、プリンタ部１４０、投入部１５０、処理部１６０、および出力部２２０に通信可能に接続されている。
【００３５】
制御部３００には、操作部１１０からの操作信号と、認証部１３０からの認証信号と、処理部１６０の識別部１６３からの識別情報信号と、処理部１６０（具体的には、第１センサ１６６ｂ〜第６センサ１６６ｇ）からの検知信号とが入力される。
【００３６】
制御部３００は、硬貨制御部３１０と、表示制御部３２０と、印刷制御部３３０と、通信制御部３４０と、記憶部３５０とを有する。
【００３７】
硬貨制御部３１０は、処理部１６０（具体的には、識別部１６３）からの識別情報信号に基づいて、処理部１６０の第１選別部１６５ａ〜第６選別部１６５ｆ（図２を参照）の動作を制御する。第１選別部１６５ａ〜第６選別部１６５ｆは、制御部３００の制御に応じて動作する。
【００３８】
また、硬貨制御部３１０は、処理部１６０の第１保管部２１０ｂ〜第６保管部２１０ｇ（図２を参照）の動作を制御する。具体的には、硬貨制御部３１０は、所定の保管条件を満たしたことを条件に、第１保管部２１０ｂ〜第６保管部２１０ｇを制御して、第１保管部２１０ｂ〜第６保管部２１０ｇに硬貨を一時保管させる。また、硬貨制御部３１０は、所定の操出条件を満たしたことを条件に、第１保管部２１０ｂ〜第６保管部２１０ｇを制御して、第１保管部２１０ｂ〜第６保管部２１０ｇから硬貨を繰り出させる。
【００３９】
表示制御部３２０は、所定の表示情報を表示部１２０に表示させる。当該所定の表示情報は、操作者のＩＤ、投入部１５０に硬貨が投入された時刻、投入部１５０に投入された硬貨の種類および枚数等である。表示部１２０は、制御部３００の制御に応じて、所定の表示情報を表示する。
【００４０】
印刷制御部３３０は、所定の印刷開始条件を満たしたことを条件に、プリンタ部１４０を駆動して、記憶部３５０に記憶されている所定の印刷情報を印刷させる。所定の印刷開始条件および所定の印刷情報については後述する。プリンタ部１４０は、制御部３００の制御に応じて、所定の印刷情報を印刷する。
【００４１】
通信制御部３４０は、プリンタ部１４０で所定の印刷情報が印刷されたことを条件に、出力部２２０に対して所定の通信情報を出力する。
【００４２】
出力部２２０は、例えば、硬貨処理装置１とは別の外部機器との無線または有線通信を行う通信インタフェースである。外部機器としては、所定の容器を回収する回収業者のコンピュータまたはサーバ等が挙げられる。これらのコンピュータまたはサーバ等は、硬貨処理装置１の上位装置である。出力部２２０は、通信制御部３４０からの所定の通信情報の出力を受けて、インターネット等のネットワークを介して、外部機器に対して、当該所定の通信情報を送信する。
【００４３】
記憶部３５０は、表示部１２０に表示される所定の表示情報、プリンタ部１４０で印刷される所定の印刷情報、出力部２２０から送信される所定の通信情報等を記憶している。
【００４４】
（印刷物）
図４Ａ〜図４Ｅを参照して、プリンタ部１４０で印刷される印刷物４００について説明する。上述のとおり、プリンタ部１４０は、所定の印刷情報を印刷する。具体的には、プリンタ部１４０は、所定の容器および当該所定の容器に収納された硬貨の少なくとも一方に関する情報を二箇所に印刷して、当該情報が印刷された第一の印刷物４０１および第二の印刷物４０２を生成する。
【００４５】
第一の印刷物４０１および第二の印刷物４０２には、所定の容器に関する情報として、所定の容器の識別ＩＤ、もしくは、所定の容器を所有する店舗の名称または店舗識別ＩＤ等が印刷される。また、第一の印刷物４０１および第二の印刷物４０２には、所定の容器に収納された硬貨に関する情報として、所定の容器に収納された硬貨の合計金額、金種別の金額、合計枚数、または金種別の枚数等が印刷される。これら各情報は、ＱＲコード（登録商標）またはバーコード等のコードを用いて印刷されてもよい。
【００４６】
図４Ａは、プリンタ部１４０で生成された第一の印刷物４０１および第二の印刷物４０２を示している。図４Ａに示すように、第一の印刷物４０１および第二の印刷物４０２は、長尺のシール台紙４０３に貼付されたシールである。第一の印刷物４０１と、第二の印刷物４０２とは、シール台紙４０３上に、離間した状態で貼付されている。第一の印刷物４０１と第二の印刷物４０２とがシール台紙４０３上に貼付されているため、第一の印刷物４０１と第二の印刷物４０２とがバラバラになることが防止される。
【００４７】
図４Ａに示す例では、第一の印刷物４０１に印刷される情報と、第二の印刷物４０２に印刷される情報とは、一部が異なっている。具体的には、第一の印刷物４０１には、操作者が保管する印刷物であることを示す情報として「保管用」の文字が印刷されている。また、第二の印刷物４０２には、所定の容器に貼付される印刷物であることを示す情報として「貼付用」の文字が印刷されている。
【００４８】
以下、第一の印刷物４０１に印刷される情報を「第一の情報」という。また、第二の印刷物４０２に印刷される情報を「第二の情報」という。第一の情報と第二の情報とは、共通の情報を含んでおり、また、異なる情報を含んでいる。なお、第一の印刷物４０１に印刷される情報と、第二の印刷物４０２に印刷される情報とは、完全に同一であってもよい。
【００４９】
図４Ａに示す例では、第一の印刷物４０１の印刷フォーマットと、第二の印刷物４０２の印刷フォーマットとは、同一である。具体的には、第一の印刷物４０１のフォントと、第二の印刷物４０２のフォントとは、同一である。また、第一の印刷物４０１に印刷された情報の配置と、第二の印刷物４０２に印刷された情報の配置とは、同一である。
【００５０】
第一の印刷物４０１に印刷される際のフォーマットと、第二の印刷物４０２に印刷される際のフォーマットとは、異なっていてもよい。なお、フォーマットとは、印刷される際のフォント、情報の配置位置等である。
【００５１】
図４Ｂに示すように、第一の印刷物４０１および第二の印刷物４０２が一枚のシールに印刷されるようになっていてもよい。この場合には、第一の印刷物４０１と第二の印刷物４０２との間にミシン目等が入れられて、互いに分離できるようになっていてもよい。
【００５２】
第一の印刷物４０１および第二の印刷物４０２はシールでなくてもよい。図４Ｃには、ロール状とされた長尺のレシート紙に第一の情報および第二の情報が印刷されたものが示されている。この場合には、第一の印刷物４０１と第二の印刷物４０２とがバラバラにならないよう、１枚の紙にミシン目等が入れられて分離可能な状態となっていてもよい。
【００５３】
プリンタ部１４０は、第一の情報の印刷と、第二の情報の印刷とを、連続して行う。すなわち、プリンタ部１４０は、第一の情報を所定のシールに印刷した後、続けて第二の情報を次のシールに印刷する。なお、第一の情報の印刷と、第二の情報の印刷とは、連続して行われなくてもよい。例えば、プリンタ部１４０は、第一の情報を所定のシールに印刷し、所定の時間が経過した後に、第二の情報を次のシールに印刷するようにしてもよい。なお、所定の時間とは、数秒程度である。
【００５４】
また、図４Ｄに示すように、１枚の紙に第一の情報と第二の情報とを一括して印刷するようにしてもよい。その場合には、第一の印刷物４０１と第二の印刷物４０２との間にミシン目等が入れられて、分離可能となっていてもよい。
【００５５】
第一の印刷物４０１と第二の印刷物４０２とは、一体的に生成されることが好ましい。なお、ここでいう「一体的」とは、上述の印刷態様を全て含む概念である。すなわち、「一体的」は、以下の態様を含む。１．共通の台紙に第一の情報が印刷されたシールと第二の情報が印刷されたシールとが離間して貼付された態様。２．１枚のシールまたは紙に第一の情報と第二の情報とが印刷された態様。
【００５６】
また、プリンタ部１４０は、長尺のレシート紙に第一の情報を印刷した後、第一の情報が印刷された部分を切り離し、その後、残ったレシート紙に第二の情報を印刷して、第二の情報が印刷された部分をさらに切り離してもよい。
【００５７】
また、図４Ｅに示すように、第１の紙に第一の情報が印刷され、その後、第２の紙に第二の情報が印刷されてもよい。その場合には、図４Ｅの「１／２」、「２／２」のように、印刷された紙が何枚組なのかを示す情報も印刷されるとよい。
【００５８】
第一の情報の印刷と第二の情報の印刷とは、同時に行われることが好ましい。なお、ここでいう「同時」とは、上述の印刷態様を全て含む概念である。すなわち、「同時」は、以下の態様を含む。１．第一の情報の印刷と第二の情報の印刷とを連続して行う態様。２．第一の情報の印刷を行い、数秒が経過した後に、第二の情報の印刷を行う態様。３．第一の情報の印刷と第二の情報の印刷とを一括して行う態様。４．第一の情報の印刷を行い、紙の切り離し動作が行われた後に、第二の情報の印刷を行う態様。５．第１の紙に第一の情報を印刷した後、第２の紙に第二の情報を印刷する態様。
【００５９】
なお、プリンタ部１４０は、単一のプリンタにより構成されてもよいし、複数のプリンタにより構成されてもよい。プリンタ部１４０が複数のプリンタにより構成される場合、プリンタ部１４０における第１のプリンタで第一の情報が印刷された第一の印刷物４０１が生成され、プリンタ部１４０における第２のプリンタで第二の情報が印刷された第二の印刷物４０２が生成される。
【００６０】
（印刷開始条件）
上述のとおり、プリンタ部１４０は、所定の印刷開始条件を満たしたことを条件に、印刷を実行し、第一の印刷物４０１および第二の印刷物４０２を生成する。以下、所定の印刷開始条件について説明する。
【００６１】
（第１の印刷開始条件）
プリンタ部１４０は、例えば、所定の容器に所定量の硬貨が収納されたことを条件として、印刷を実行し、第一の印刷物４０１および第二の印刷物４０２を生成する。
【００６２】
硬貨処理装置１は、所定の容器に収納された硬貨の量を検知する検知部を備え、プリンタ部１４０は、当該検知部によって、所定の容器に所定量の硬貨が収納されたと検知されたことを条件として、第一の印刷物４０１および第二の印刷物４０２を生成する。
【００６３】
具体的には、硬貨処理装置１は、第１カセット１９０ｂ〜第６カセット１９０ｇに硬貨が収納されたことを検出する第１センサ１６６ｂ〜第６センサ１６６ｇを備えている。そして、第１センサ１６６ｂ〜第６センサ１６６ｇからの情報に基づいて、第１カセット１９０ｂ〜第５カセット１９０ｆに収納された硬貨の枚数が計数され、記憶部３５０に記憶されている。
【００６４】
印刷制御部３３０は、記憶部３５０に記憶されている第１カセット１９０ｂ〜第６カセット１９０ｇのいずれかに収納された硬貨の枚数が所定枚数に達したことを条件として、第一の印刷物４０１および第二の印刷物４０２を生成するように、プリンタ部１４０を駆動する。
【００６５】
なお、検知部は上述のものに限定されない。例えば、所定の高さに物体が存在するか否かを検知可能なセンサを設け、当該センサにより、硬貨が所定の高さまで積み上がったことを検知するようにしてもよい。また、例えば、所定の容器の重量を測定する重量計を設け、当該重量計により、所定の容器に収納された硬貨の重量を測定してもよい。また、例えば、所定の容器に収納する硬貨の枚数を予め記憶部３５０に記憶させておき、所定の容器に収納された硬貨の枚数が、当該収納する枚数に達した否かを判断してもよい。また、例えば、識別部１６３によって識別された硬貨の枚数に基づいて、所定の容器に収納された硬貨の量を検知するようにしてもよい。
【００６６】
印刷制御部３３０は、所定の容器が満杯になったことを条件として、プリンタ部１４０を駆動してもよい。所定の容器が満杯になったことは、上述のいずれかの検知方法を用いて検知すればよい。例えば、所定の容器に収納可能な硬貨の最大枚数を予め記憶部３５０に記憶させておき、所定の容器に収納された硬貨の枚数が、当該収納可能な硬貨の最大枚数に達したことを条件として、プリンタ部１４０を駆動してもよい。
【００６７】
（第２の印刷開始条件）
プリンタ部１４０は、例えば、操作部１１０に対して所定の操作が行われたことを条件として、印刷を実行し、第一の印刷物４０１および第二の印刷物４０２を生成する。
【００６８】
操作部１１０に対して行われる所定の操作としては、例えば、所定の容器を取り外すために行われる所定の解除操作が挙げられる。所定の容器を取り外すために行われる所定の解除操作は、例えば、所定の容器が満杯となり、所定の容器が別の容器と取り替えられる場合に行われる。この場合、一連の流れは例えば以下のとおりである。上述のいずれかの方法で所定の容器が満杯となったことが検知された場合、硬貨制御部３１０は、所定の容器への硬貨の収納を停止させる。そして、表示制御部３２０は、所定の容器が満杯になったことを示す表示情報を、表示部１２０に表示させる。管理者は、表示部１２０に表示された表示情報に基づいて、操作部１１０において、所定の容器を取り外すための操作を行う。印刷制御部３３０は、操作部１１０において当該操作が行われたことを条件として、プリンタ部１４０を駆動する。
【００６９】
また、操作部１１０に対して行われる所定の操作としては、例えば、入金処理のために行われる所定の入金操作が挙げられる。例えば、商業施設では、営業時間の終了後、商業施設内の複数の店舗のそれぞれから回収された、当日の売上金である硬貨が、バックオフィスに設置された硬貨処理装置１で入金処理される。このとき、店舗ごとに、硬貨処理装置１への入金、所定の容器への収納、および所定の容器の取り外しが一貫して行われる場合がある。この場合、印刷制御部３３０は、入金処理のために行われる所定の入金操作が行われたことを条件として、プリンタ部１４０を駆動してもよい。
【００７０】
この場合、硬貨処理装置１は、入金から所定の容器の取り外しまでの一連の処理が行われる一取引ごとに、第一の印刷物４０１および第二の印刷物４０２を生成する。
【００７１】
なお、売上金が多い場合には、硬貨処理装置１に対して複数回に分けて入金が行われる場合があるが、硬貨処理装置１は、複数回に亘って行われる一連の入金を一取引と捉え、プリンタ部１４０は、一取引に対して一回、第一の印刷物４０１および第二の印刷物４０２を生成する。
【００７２】
ところで、本実施形態では、硬貨処理装置１は、出力部２２０を備え、第一の印刷物４０１および第二の印刷物４０２の生成を行った場合に、出力部２２０から外部機器に所定の通信情報を送信するように構成されている。
【００７３】
このような所定の通信情報としては、第一の情報と同一でもよいし、第二の情報と同一でもよい。また、第一の情報および第二の情報に共通で含まれる所定の情報でもよい。さらに、第一の情報および第二の情報とは異なる情報でもよい。所定の通信情報には、所定の容器および当該所定の容器に収納された硬貨の少なくとも一方に関する情報が含まれていればよい。
【００７４】
図５Ａおよび図５Ｂを参照して、制御部３００において行われる処理について説明する。図５Ａおよび図５Ｂは、制御部３００において行われる処理の流れを示すフローチャートである。図５Ａおよび図５Ｂに示す処理は、所定の周期で繰り返し実行される。
【００７５】
図５Ａのフローチャートは、印刷開始条件として、上述の第１の印刷開始条件を用いたものを示している。
【００７６】
ステップＳ１で、制御部３００は、所定の容器に所定量の硬貨が収納されたか否かを判定する。
【００７７】
ステップＳ１で所定の容器に所定量の硬貨が収納されていないと判断された場合（ステップＳ１：ＮＯ）、処理は終了する。
【００７８】
一方、ステップＳ１で所定の容器に所定量の硬貨が収納されたと判断された場合（ステップＳ１：ＹＥＳ）、処理はステップＳ２へ進む。
【００７９】
ステップＳ２で、制御部３００は、第一の印刷物４０１および第二の印刷物４０２を生成するようにプリンタ部１４０を制御する。
【００８０】
ステップＳ２に続くステップＳ３で、制御部３００は、所定の通信情報を出力部２２０に出力する。
【００８１】
出力部２２０は、制御部３００から受け取った所定の通信情報を外部機器に送信する。所定の通信情報が外部機器に出力されることで、外部機器には、所定の容器に関する情報および所定の容器に収納される硬貨に関する情報の少なくとも一方が入力される。
【００８２】
よって、回収業者は、回収された所定の容器に貼付されている第二の印刷物４０２に印刷された第二の情報と、硬貨処理装置１から出力された所定の通信情報とを照合することができる。これにより、回収業者は、第二の情報が正規の情報であることを確認することができる。
【００８３】
また、回収業者は、所定の容器の取り外しが行われたことおよび所定の容器に収納されている金額を把握することができる。これにより、回収業者は、所定の容器の回収が完了していなくても、硬貨処理装置１から所定の通信情報が届いた時点で、立替入金を行うことが可能となる。
【００８４】
図５Ｂのフローチャートは、印刷開始条件として、上述の第２の印刷開始条件を用いたものを示している。
【００８５】
ステップＳ１１で、制御部３００は、操作部１１０に対して所定の操作が行われたか否かを判断する。
【００８６】
ステップＳ１１で操作部１１０に対して所定の操作が行われていないと判断された場合（ステップＳ１１：ＮＯ）、処理は終了する。
【００８７】
一方、ステップＳ１１で操作部１１０に対して所定の操作が行われたと判断された場合（ステップＳ１１：ＹＥＳ）、処理はステップＳ１２へ進む。
【００８８】
ステップＳ１２で、制御部３００は、第一の印刷物４０１および第二の印刷物４０２を生成するようにプリンタ部１４０を制御する。
【００８９】
ステップＳ１２に続くステップＳ１３で、制御部３００は、所定の通信情報を出力部２２０に出力する。出力部２２０は、制御部３００から受け取った所定の通信情報を外部機器に送信する。
【００９０】
なお、第１の印刷開始条件と第２の印刷開始条件とは組み合わせて用いることもできる。例えば、所定の容器に所定量の硬貨が収納され、かつ、操作部１１０に対して所定の操作が行われた場合に、プリンタ部１４０が第一の印刷物４０１および第二の印刷物４０２を生成するようにしてもよい。
【００９１】
また、所定の通信情報の出力部２２０への出力は行われなくてもよい。この場合、図５ＡのステップＳ３および図５ＢのステップＳ１３がそれぞれ省略されることになる。
【００９２】
以上説明したように、本発明に係る有価媒体処理装置は、有価媒体を処理する有価媒体処理装置であって、処理された前記有価媒体を所定の容器に収納する収納部と、前記所定の容器および前記所定の容器に収納された前記有価媒体の少なくとも一方に関する情報を二箇所に印刷して、前記情報が印刷された第一の印刷物および第二の印刷物を生成する印刷部と、を備える。
【００９３】
これにより、所定の容器および所定の容器に収納された有価媒体の少なくとも一方に関する情報が印刷された第一の印刷物を、所定の容器を取り出した操作者が保管し、さらに、当該情報が印刷された第二の印刷物を、所定の容器に付することができる。
【００９４】
そのため、容器を用いた回収を行う際に、所定の容器に付された第二の印刷物を用いて、容器の識別、および、容器内に収納された貨幣の金額情報等の把握、の少なくとも一方を行うことができる。
【００９５】
（第２実施形態）
上述の第１実施形態では、プリンタ部を備える硬貨処理装置について説明した。これに対して、第２実施形態では、硬貨処理装置と、硬貨処理装置とは別に設けられ、かつ、プリンタ部を備える第一外部装置と、硬貨処理装置および第一外部装置とは別に設けられ、かつ、第一の印刷物に印刷された第一の情報と第二の印刷物に印刷された第二の情報とを照合する照合部を備える第二外部装置と、を備える硬貨処理システムについて説明する。第２実施形態における硬貨処理装置は、第１実施形態における硬貨処理装置と、プリンタ部を備えていない点のみで相違する。よって、硬貨処理装置についての詳細な説明を省略する。なお、硬貨処理装置は、プリンタ部を有していてもよい。
【００９６】
図６に示すように、硬貨処理システム５００は、硬貨処理装置１Ａと、第一外部装置６００と、第二外部装置８００とを備える。第一外部装置６００および第二外部装置８００は、硬貨処理装置１Ａと通信可能である。なお、通信の形態は、無線通信および有線通信のいずれであってもよい。
【００９７】
第一外部装置６００は、制御部６０１と、プリンタ部６０２と、を備える。第一外部装置６００としては、例えば、硬貨処理装置１Ａを管理する管理装置または金融機関の本社に設置された管理装置が挙げられる。なお、第一外部装置６００がプリンタ部６０２を備えず、プリンタ部６０２を備える複合機、プリンタ等が第一外部装置６００と通信可能に接続されていてもよい。
【００９８】
外部装置６００には、硬貨処理装置１Ａから出力された第一の情報および第二の情報が入力される。外部装置６００の制御部６０１は、プリンタ部６０２を駆動して、硬貨処理装置１から受け取った第一の情報および第二の情報を印刷させる。
【００９９】
プリンタ部６０２で生成される印刷物の態様、および、プリンタ部６０２の印刷開始条件については、第１実施形態のプリンタ部１４０と同様であるため、詳細な説明を省略する。
【０１００】
なお、硬貨処理装置１Ａから、所定の容器および当該所定の容器に収納された硬貨の少なくとも一方に関する情報が入力され、制御部６０１において、硬貨処理装置１Ａから受け取った所定の容器および当該所定の容器に収納された硬貨の少なくとも一方に関する情報に基づいて第一の情報および第二の情報を生成するようにしてもよい。
【０１０１】
また、プリンタ部６０２は、単一のプリンタにより構成されてもよいし、複数のプリンタにより構成されてもよい。プリンタ部６０２が複数のプリンタにより構成される場合、プリンタ部６０２における第１のプリンタで第一の情報が印刷された第一の印刷物４０１が生成され、プリンタ部６０２における第２のプリンタで第二の情報が印刷された第二の印刷物４０２が生成される。
【０１０２】
第二外部装置８００は、読取部８０１と、照合部８０２と、を備える。第二外部装置８００としては、例えば、回収業者が所有する管理装置または金融機関、流通店舗等が所有する管理装置が挙げられる。
【０１０３】
読取部８０１は、第一の印刷物４０１（図４Ａを参照）に印刷された第一の情報、および第二の印刷物４０２（図４Ａを参照）に印刷された第二の情報を読み取る。
【０１０４】
照合部８０２は、読取部８０１で読み取られた第一の情報と第二の情報とを照合する。
【０１０５】
これにより、第一の印刷物４０１または第二の印刷物４０２が不正に書き換えられた場合に、不正に書き換えられたことを把握できる。また、第一の印刷物４０１または第二の印刷物４０２が不正に作成された場合に、不正に作成されたことを把握できる。
【０１０６】
なお、照合部８０２は、第一の情報および第二の情報に加えて、さらに、硬貨処理装置１Ａから出力された通信情報を照合してもよい。このようにすれば、第一の印刷物４０１または第二の印刷物４０２が不正に書き換えられたこと、または、第一の印刷物４０１または第二の印刷物４０２が不正に作成されたことを、より確実に把握することができる。
【０１０７】
なお、上述の第２実施形態では、第一外部装置と第二外部装置とを別個の装置として説明したが、第一外部装置と第二外部装置とを一体化した装置としてもよいことはもちろんである。
【０１０８】
以上説明したように、本発明に係る有価媒体処理システムは、有価媒体を処理して所定の容器に収納する有価媒体処理装置と、前記所定の容器および前記所定の容器に収納された前記有価媒体の少なくとも一方に関する情報を二箇所に印刷して、前記情報が印刷された第一の印刷物および第二の印刷物を生成する印刷装置と、を備える。
【０１０９】
これにより、所定の容器および所定の容器に収納された有価媒体の少なくとも一方に関する情報が印刷された第一の印刷物を、所定の容器を取り出した操作者が保管し、さらに、当該情報が印刷された第二の印刷物を、所定の容器に付することができる。
【０１１０】
そのため、容器を用いた回収を行う際に、所定の容器に付された第二の印刷物を用いて、容器の識別、および、容器内に収納された貨幣の金額情報等の把握、の少なくとも一方を行うことができる。
【０１１１】
なお、上述の各実施形態では、有価媒体として、硬貨を例に説明を行ったが、これに限定されない。具体的には、有価媒体は、紙幣でもよいし、金券、商品券、クーポン券等でもよい。
【０１１２】
また、上述の各実施形態では、所定の容器として、カセットを例に説明を行ったが、これに限定されない。具体的には、所定の容器は、箱でもよし、パウチでもよいし、麻袋等でもよい。
【０１１３】
また、上述の各実施形態では、印刷情報として、所定の容器および当該所定の容器に収納された硬貨の少なくとも一方に関する情報を例に説明を行ったが、これに限定されない。具体的には、例えば、印刷情報には、有価媒体処理装置の端末番号、所定の容器が満杯になった日時、取引日時、回収操作を行った操作者名または操作者ＩＤ、所定の容器への収納時に発生したエラーに関する情報が含まれていてもよい。
【産業上の利用可能性】
【０１１４】
本発明は、有価媒体を処理する有価媒体処理装置に適用することができる。よって、その産業上の利用可能性は多大である。
【符号の説明】
【０１１５】
１、１Ａ  硬貨処理装置（有価媒体処理装置）
１００  筐体
１１０  操作部
１２０  表示部
１３０  認証部
１４０  プリンタ部
１５０  投入部
１６０  処理部
１６１  操出部
１６２  搬送路
１６３  識別部
１６５ａ  第１選別部
１６５ｂ  第２選別部
１６５ｃ  第３選別部
１６５ｄ  第４選別部
１６５ｅ  第５選別部
１６５ｆ  第６選別部
１６６ｂ  第１センサ
１６６ｃ  第２センサ
１６６ｄ  第３センサ
１６６ｅ  第４センサ
１６６ｆ  第５センサ
１６６ｇ  第６センサ
１７０  リジェクト部
１８０  返却部
１９０  カセット部
１９０ｂ  第１カセット
１９０ｃ  第２カセット
１９０ｄ  第３カセット
１９０ｅ  第４カセット
１９０ｆ  第５カセット
１９０ｇ  第６カセット
２００ｂ  第１収納部
２００ｃ  第２収納部
２００ｄ  第３収納部
２００ｅ  第４収納部
２００ｆ  第５収納部
２００ｇ  第６収納部
２１０ｂ  第１保管部
２１０ｃ  第２保管部
２１０ｄ  第３保管部
２１０ｅ  第４保管部
２１０ｆ  第５保管部
２１０ｇ  第６保管部
２２０  出力部
３００  制御部
３１０  硬貨制御部
３２０  表示制御部
３３０  印刷制御部
３４０  通信制御部
３５０  記憶部
４００  印刷物
４０１  第一の印刷物
４０２  第二の印刷物
４０３  台紙
５００  硬貨処理システム
６００  第一外部装置
６０１  制御部
６０２  プリンタ部
８００  第二外部装置
８０１  読取部
８０２  照合部
【図１】
2020064393.tif 000003
【図２】
2020064393.tif 000004
【図３】
2020064393.tif 000005
【図４Ａ】
2020064393.tif 000006
【図４Ｂ】
2020064393.tif 000007
【図４Ｃ】
2020064393.tif 000008
【図４Ｄ】
2020064393.tif 000009
【図４Ｅ】
2020064393.tif 000010
【図５Ａ】
2020064393.tif 000011
【図５Ｂ】
2020064393.tif 000012
【図６】
2020064393.tif 000013